(57)【要約】  無線端末の状態に関わらず特定情報を即時に通知できる。  特定情報受信手段（１ａ）は、上位装置（２）から無線端末（３）に配信する特定情報を受信する。特定情報配信手段（１ｂ）は、特定情報受信手段（１ａ）より受信された特定情報を、無線基地局（１）において起動されている複数の物理チャネルで無線端末（３）に配信する。例えば無線基地局（１）は、複数の無線端末に周期的に情報を報知する共通チャネルや、空いている無線リソースを無線端末に割り当て音声データなどを送信するシェアードチャネルが起動されるとする。この場合、特定情報配信手段（１ｂ）は、無線端末（３）が待ち受け状態にあれば共通チャネルを用いて特定情報を無線端末（３）に配信することができる。無線端末（３）が通信中であればシェアードチャネルを用いて特定情報を無線端末（３）に配信することができる。
2010058466.tif 000002
【特許請求の範囲】
【請求項１】
無線端末と無線通信を行う無線基地局において、
上位装置から前記無線端末に配信する特定情報を受信する特定情報受信手段と、
前記特定情報受信手段によって受信された前記特定情報を当該無線基地局において起動されている複数の物理チャネルで前記無線端末に配信する特定情報配信手段と、
を有することを特徴とする無線基地局。
【請求項２】
トランスポートチャネルに前記特定情報受信手段によって受信された前記特定情報を前記複数の物理チャネルにマッピングする特定情報配信チャネルを有することを特徴とする請求の範囲第１項記載の無線基地局。
【請求項３】
前記特定情報配信手段は、前記特定情報受信手段によって受信された前記特定情報を当該無線基地局において起動されている複数のトランスポートチャネルにマッピングし前記複数の物理チャネルで配信することを特徴とする請求の範囲第１項記載の無線基地局。
【請求項４】
前記特定情報配信手段は、前記特定情報受信手段によって受信された前記特定情報を当該無線基地局において起動されている複数の論理チャネルにマッピングし前記複数の物理チャネルで配信することを特徴とする請求の範囲第１項記載の無線基地局。
【請求項５】
前記複数の物理チャネルには、複数の前記無線端末に情報を報知する共通チャネルと、空いている無線リソースを前記無線端末に割り当て情報を送信するシェアードチャネルとが含まれることを特徴とする請求の範囲第１項記載の無線基地局。
【請求項６】
前記共通チャネルは、複数であることを特徴とする請求の範囲第５項記載の無線基地局。
【請求項７】
前記特定情報配信手段は、前記シェアードチャネルにおいて前記無線端末に前記無線リソースを割り当てることができない場合、制御チャネルを用いて前記特定情報を配信することを特徴とする請求の範囲第５項記載の無線基地局。
【請求項８】
前記特定情報が前記無線端末に配信すべき時間を超過した場合、前記特定情報の配信を停止する配信停止手段を有することを特徴とする請求の範囲第１項記載の無線基地局。
【請求項９】
無線基地局と無線通信を行う無線端末において、
前記無線基地局が複数の物理チャネルを用いて配信する特定情報を受信する特定情報受信手段と、
前記特定情報受信手段によって受信された前記特定情報のうち、最も早く受信した前記特定情報をユーザに通知する特定情報通知手段と、
を有することを特徴とする無線端末。
【請求項１０】
無線端末と無線通信を行う無線基地局の特定情報配信方法において、
上位装置から前記無線端末に配信する特定情報を受信し、
前記特定情報を前記無線基地局において起動されている複数の物理チャネルで前記無線端末に配信する、
ことを特徴とする特定情報配信方法。
【請求項１１】
無線基地局と無線通信を行う無線端末の特定情報受信方法において、
前記無線基地局が複数の物理チャネルを用いて配信する特定情報を受信し、
複数の前記特定情報のうち、最も早く受信した前記特定情報をユーザに通知する、
ことを特徴とする特定情報受信方法。
【発明の詳細な説明】
【技術分野】
【０００１】
本発明は、特定情報を無線端末に配信する無線基地局、無線端末、特定情報配信方法、および特定情報受信方法に関する。
【背景技術】
【０００２】
現在実現または仕様開発中（例えば、非特許文献１参照）の移動通信システムでは、移動局とネットワーク装置との間で多種多様な通信サービスを提供することが目的の一つとなっている。また、昨今の移動通信システムは、携帯電話の普及率、通信エリアのカバー率の向上に即して、異常時の通信手段としてのニーズが高まっており、公共通信としての期待が高まっている。例えば、緊急事態を示す地震情報、火災情報などの特定情報をユーザの携帯電話に通知するなどの期待が高まっている。【０００３】
なお、従来、画像を撮影して送受信するテレビ電話機能を備えた携帯電話装置を用いて、画像を含む緊急情報を、移動網を介して受け付ける緊急通報受け付けシステムが提案されている（例えば、特許文献１参照）。【０００４】
また、生産現場のような著しい騒音環境においても、異常事態を発見した監視作業者自らが、その肉声で、周辺作業者や関係部署に対して、連絡すべき内容を直ちに連絡することを可能にするとともに、生産現場に作業者がいる限り、別途構築された異常検出システムからの緊急情報を速やかに入手することを可能にする緊急通報システムが提案されている（例えば、特許文献２参照）。
【特許文献１】特開２００８−４８３３５号公報
【特許文献２】特開２０００−２４２８７３号公報
【非特許文献１】3GPP TS36.300 V8.5.0(2008-05)
【発明の開示】
【発明が解決しようとする課題】
【０００５】
しかし、従来の移動通信システムでは、無線端末の待ち受け状態や通信状態などの状態によって緊急情報を即時に通知することができないという問題点があった。
本件はこのような点に鑑みてなされたものであり、無線端末の状態に関わらず特定情報を即時に通知することができる無線基地局、無線端末、特定情報配信方法、および特定情報受信方法を提供することを目的とする。
【課題を解決するための手段】
【０００６】
上記課題を解決するために、無線端末と無線通信を行う無線基地局が提供される。この無線基地局は、上位装置から前記無線端末に配信する特定情報を受信する特定情報受信手段と、前記特定情報受信手段によって受信された前記特定情報を当該無線基地局において起動されている複数の物理チャネルで前記無線端末に配信する特定情報配信手段と、を有する。
【発明の効果】
【０００７】
開示の装置および方法では、無線端末の状態に関わらず特定情報を即時に通知することができる。
本発明の上記および他の目的、特徴および利点は本発明の例として好ましい実施の形態を表す添付の図面と関連した以下の説明により明らかになるであろう。
【図面の簡単な説明】
【０００８】
【図１】無線基地局を示した図である。
【図２】移動通信システムの構成例を示した図である。
【図３】ＵＥの状態を説明する図である。
【図４】ＭＭＥ／Ｓ−ＧＷからｅＮＢに送信される緊急情報のデータフォーマットを示した図である。
【図５】ＥｍＣＨの機能を説明する図である。
【図６】ＥｍＣＨの物理チャネルへのマッピングを説明する図である。
【図７】シェアードチャネル割り当てを説明する図である。
【図８】ｅＮＢのブロック図である。
【図９】ＵＥのブロック図である。
【図１０】ｅＮＢの動作を示したフローチャートである。
【図１１】ｅＮＢの動作を示したフローチャートである。
【図１２】ＵＥの動作を示したフローチャートである。
【発明を実施するための最良の形態】
【０００９】
図１は、無線基地局を示した図である。図１には無線基地局１を制御する上位装置２と、無線基地局１と無線通信する無線端末３も示してある。無線基地局１は、図１に示すように特定情報受信手段１ａおよび特定情報配信手段１ｂを有している。【００１０】
特定情報受信手段１ａは、上位装置２から無線端末３に配信する特定情報を受信する。特定情報は、例えば、地震情報や津波情報などの緊急情報である。
特定情報配信手段１ｂは、特定情報受信手段１ａによって受信された特定情報を、無線基地局１において起動されている複数の物理チャネルで無線端末３に配信する。【００１１】
例えば、無線基地局１は、複数の無線端末に情報を報知する共通チャネルや、空いている無線リソースを無線端末に割り当て、音声データなどを送信するシェアードチャネルが起動されるとする。この場合、特定情報配信手段１ｂは、無線端末３が待ち受け状態にあれば、共通チャネルを用いて特定情報を無線端末３に配信することができる。また、無線端末３が通信中であれば、シェアードチャネルを用いて特定情報を無線端末３に配信することができる。【００１２】
このように、無線基地局１は、自局で起動している複数の物理チャネルで特定情報を配信する。これにより、無線端末３は、待ち受け状態や通信中の状態などの状態に関わらず、特定情報を即時に受信することができる。【００１３】
次に、実施の形態を図面を参照して詳細に説明する。
図２は、移動通信システムの構成例を示した図である。図２の無線通信システムでは、例えば、ＬＴＥ（Long Term Evolution）の無線方式が適用される。ｅＮＢ（evolved Node B）１１〜１３は、それぞれＭＭＥ／Ｓ−ＧＷ（Mobility Management Entity/Serving GateWay）１５，１６と接続されている。【００１４】
ｅＮＢ１１〜１３は、呼制御を行い、また、ＵＥ（User Equipment）１４との無線通信を制御している。また、ｅＮＢ１１〜１３は、無線資源管理（ＲＲＣ：Radio Resource Control）を行っている。ＵＥ１４は、例えば、携帯電話などの無線端末である。ｅＮＢ１１〜１３とＵＥ１４は、例えば、Ｅ−ＵＴＲＡＮ（Evolved Universal Terrestrial Radio Access Network）を構成している。【００１５】
ＭＭＥ／Ｓ−ＧＷ１５，１６は、ＵＥ１４とメッセージを取り交わすための層の信号（ＮＡＳ（Non Access Stratum）信号）を終端し、また、ＵＥ１４のＩｄｌｅ状態を管理している。また、ＭＭＥ／Ｓ−ＧＷ１５，１６は、ＳＡＥ（System Architecture Evolution）ベアラリソースを管理し、ＵＥ１４との間に張るチャネルを管理している。なお、ＭＭＥ／Ｓ−ＧＷ１５，１６は、ＭＭＥ（Ｅ−ＵＴＲＡＮを制御する機能）とＳ−ＧＷ（ユーザ向けのデータを終端する機能）とで、別々の装置で構成してもよい。【００１６】
ｅＮＢ１１〜１３とＭＭＥ／Ｓ−ＧＷ１５，１６は、Ｓ１インタフェース（S1-Application Protocol）によって、データのやり取りを行う。ｅＮＢ１１〜１３は互いに、Ｘ２インタフェース（X2-Application Protocol）によって、データのやり取りを行う。【００１７】
ＣＢＣ（Cell Broadcast Center）１７は、ＭＭＥ／Ｓ−ＧＷ１５，１６と接続されている。ＣＢＣ１７は、例えば、気象庁など、緊急情報配信局から緊急情報を受信すると、受信した緊急情報をＭＭＥ／Ｓ−ＧＷ１５，１６に配信する。【００１８】
緊急情報は、地震情報や津波情報など、即時にユーザに通知すべき情報である。図２の移動通信システムは、地震や津波の発生から数秒以内にその情報をユーザに通知することにより、ユーザの地震や津波に対する避難や対応などを可能にすることを目的としている。【００１９】
図２において、ＣＢＣ１７は、緊急情報配信局から緊急情報を受信したとする。ＣＢＣ１７は、受信した緊急情報をＭＭＥ／Ｓ−ＧＷ１５，１６に配信する。
ＭＭＥ／Ｓ−ＧＷ１５，１６は、ＣＢＣ１７から緊急情報を受信すると、Ｓ１インタフェースの制御プレーンまたはユーザプレーンを用いて、配下のｅＮＢ１１〜１３に緊急情報を配信する。【００２０】
ｅＮＢ１１〜１３は、ＭＭＥ／Ｓ−ＧＷ１５，１６から緊急情報を受信すると、自局エリア内のＵＥ１４に緊急情報を配信する。ｅＮＢ１１〜１３は、自局で通信することが可能な（自局で起動している）、複数のダウンリンクの物理チャネルに緊急情報をマッピングし、緊急情報をＵＥ１４に配信する。【００２１】
例えば、ダウンリンクの物理チャネルには、複数のＵＥに情報を報知する共通チャネルや、空いている無線リソースをＵＥに割り当て、音声データやメールデータなどを送信するシェアードチャネルがある。ｅＮＢ１１〜１３は、このような自局で通信することが可能な複数の物理チャネルに緊急情報をマッピングして、緊急情報をＵＥ１４に配信する。【００２２】
これにより、ＵＥ１４は、待ち受け状態にあっても、情報を報知する共通チャネルを介して、ｅＮＢ１１〜１３から緊急情報を受信することができる。また、ＵＥ１４は、通信中の状態にあっても、ｅＮＢ１１〜１３との間で現在確立しているシェアードチャネルを介して、緊急情報を受信することができる。すなわち、ＵＥ１４は、どのような状態にあっても緊急情報を即時に受信することができるようになる。【００２３】
このように、ｅＮＢ１１〜１３は、自局で通信することが可能な複数の物理チャネルに緊急情報をマッピングして、緊急情報を配信する。これにより、ＵＥ１４は、待ち受け状態や通信中の状態に関わらず、緊急情報を即時に受信することができる。【００２４】
図３は、ＵＥの状態を説明する図である。ＵＥ１４の状態には、図３に示すように、Ｉｄｌｅ状態（LTE IDLE）２１、アクティブ状態（LTE ACTIVE）２２、およびデタッチト状態（LTE DETACHED）２３がある。【００２５】
Ｉｄｌｅ状態２１は、ＵＥ１４がｅＮＢ１１〜１３の通信エリア内に在圏し、待ち受け状態にあることを示している。
アクティブ状態２２は、ＵＥ１４が通信中の状態であることを示している。通信中の状態には、音声データやメールデータのやり取りを行うコネクティッド状態と、テレビデータなどの一斉情報サービスデータの受信を行うＭＢＭＳ（Multimedia Broadcast Multicast Service）アクティブ状態がある。【００２６】
デタッチト状態２３は、ＵＥ１４が電源をオフしている状態を示している。
図４は、ＭＭＥ／Ｓ−ＧＷからｅＮＢに送信される緊急情報のデータフォーマットを示した図である。ＭＭＥ／Ｓ−ＧＷ１５，１６は、ＣＢＣ１７から緊急情報を受信すると、図４に示すフォーマットの緊急情報をＳ１インタフェースにて、ｅＮＢ１１〜１３に送信する。【００２７】
図４に示すように緊急情報は、ヘッダ（Header）、論理チャネル種別（Logical Channel種別）、緊急通信インジケータ（緊急通信Indicator）、および緊急情報メッセージを含んでいる。【００２８】
論理チャネル種別は、当該情報（データ）の論理チャネル種別を示す。例えば、ｅＮＢ１１〜１３は、図４の緊急情報をＥｍＣＣＨ（Emergency Control CHannel）という論理チャネルでＭＭＥ／Ｓ−ＧＷ１５，１６から受信するとする。この場合、図４に示す論理チャネル種別の欄には、ＥｍＣＣＨの論理チャネル種別であることを示す情報が格納される。【００２９】
緊急通信インジケータは、緊急情報の内容を示す。例えば、緊急通信インジケータの欄には、何時に震度ｘの地震が発生した、ｙｍの津波が発生した、などの情報が格納される。【００３０】
緊急情報メッセージは、緊急情報に対するメッセージを示す。例えば、緊急情報メッセージの欄には、緊急通信インジケータに示される情報に付随するその他の情報が格納される。【００３１】
ｅＮＢ１１〜１３は、ＥｍＣＣＨの論理チャネルにて緊急情報を受信すると、受信した緊急情報を現在起動されている全てのトランスポートチャネルにマッピングし、複数の物理チャネルにマッピングするようにする。【００３２】
例えば、ｅＮＢ１１〜１３は、ＰＣＨ（Paging CHannel）、ＢＣＨ（Broadcast control CHannel）、ＤＬ−ＳＣＨ（DownLink Shared CHannel）、およびＭＣＨ（Multicast CHannel）のトランスポートチャネルを起動しているとする。ｅＮＢ１１〜１３は、図４の緊急情報を受信すると、受信した緊急情報をＰＣＨ、ＢＣＨ、ＤＬ−ＳＣＨ、およびＭＣＨのトランスポートにマッピングする。これにより、緊急情報は、ｅＮＢ１１〜１３で起動されている複数の物理チャネルにマッピングされ、Ｉｄｌｅ状態またはアクティブ状態にあるＵＥ１４に通知される。【００３３】
なお、緊急情報を複数の物理チャネルにマッピングするトランスポートチャネルを新たに設けてもよい。例えば、トランスポートチャネルに、緊急情報を複数の物理チャネルにマッピングするＥｍＣＨ（Emergency CHannel）を設ける。【００３４】
この場合、ｅＮＢ１１〜１３は、緊急情報を受信すると、受信した緊急情報をＥｍＣＨのみにマッピングすることにより、緊急情報を複数の物理チャネルにマッピングすることができる。【００３５】
図５は、ＥｍＣＨの機能を説明する図である。ｅＮＢ１１〜１３は、トランスポートチャネルに、図５に示すような機能を有するＥｍＣＨを具備することができる。
ＥｍＣＨは、例えば、ＨＡＲＱ（Hybrid Automatic Repeat reQuest）の機能を持つ。また、ＥｍＣＨは、適応変調機能を有し、例えば、図４で示した緊急情報メッセージのメッセージ量が多い場合でも、１シンボルあたりの状態数を増やすことにより、緊急情報を即時にＵＥ１４に報知することができる。また、ＥｍＣＨは、ＭＢＭＳの転送をサポートする機能を有する。また、ＥｍＣＨは、予め定義されたトランスポートフォーマットを有する。また、ＥｍＣＨは、セルの全てのカバーエリアに報知されるのが望ましい。また、ＥｍＣＨは、ＵＥ１４がパワーセービングを行うためのＤＲＸ（Discontinuous Reception）をサポートする。また、ＥｍＣＨは、トラフィックチャネルまたは制御チャネルに動的に使用される物理チャネルにマッピングされる機能を有している。【００３６】
図６は、ＥｍＣＨの物理チャネルへのマッピングを説明する図である。ｅＮＢ１１〜１３は、図４に示した緊急情報を受信すると、ＥｍＣＨにより、自局で起動されている複数の物理チャネルに緊急情報をマッピングする。【００３７】
例えば、ｅＮＢ１１〜１３は、ＰＢＣＨ（Physical Broadcast CHannel）、ＰＭＣＨ（Physical Multicast CHannel）、およびＰＤＳＣＨ（Physical DownLink Shared CHannel）のダウンリンクの物理チャネルを起動しているとする。この場合、ｅＮＢ１１〜１３は、ＭＭＥ／Ｓ−ＧＷ１５，１６から緊急情報を受信すると、図６に示すＥｍＣＨのトランスポートチャネルにて、緊急情報をＰＢＣＨ、ＰＭＣＨ、およびＰＤＳＣＨの物理チャネルにマッピングする。【００３８】
ここで、ＰＢＣＨは、ＢＣＨの報知情報などを伝送する物理チャネルであり、ｅＮＢ１１〜１３の通信エリアに在圏する待ち受け状態のＵＥ１４に対して、周期的（例えば、１０秒）に報知情報を伝送する。これにより、ＵＥ１４は、Ｉｄｌｅ状態にあっても、周期的に緊急情報を受信することができる。【００３９】
ＰＭＣＨは、ＭＣＨのＭＢＭＳデータなどをＵＥ１４に伝送する物理チャネルである。ｅＮＢ１１〜１３は、ＭＢＭＳデータなどをＵＥ１４に伝送していれば、そのデータとともに緊急情報を送信する。これにより、ＵＥ１４は、アクティブ状態（ＭＢＭＳアクティブ状態）にあっても、緊急情報を受信することができる。【００４０】
ＰＤＳＣＨは、ＤＬ−ＳＣＨのデータやＰＣＨのデータを伝送する物理チャネルである。これにより、ＵＥ１４は、アクティブ状態（コネクティッド状態）にあっても、緊急情報を受信することができる。また、ＰＣＨは、通常、ＵＥ１４の呼び出し（音声データやメールなどの着信）時に、ＢＣＣＨ（Broadcast Control CHannel）の更新変更を実現するチャネルであるが、待ち受け状態で通信エリアに在圏するＵＥ１４に対しては、周期的にＵＥ１４にアクセスされている。これにより、ＵＥ１４は、Ｉｄｌｅ状態にあっても、周期的に緊急情報を受信することができる。【００４１】
図７は、シェアードチャネル割り当てを説明する図である。ｅＮＢ１１〜１３とユーザ１〜６（ＵＥ１４は、ユーザ１〜６の何れかに対応する）は、ＯＦＤＭＡ（Orthogonal Frequency Division Multiple Access）の無線方式で無線通信を行う。ｅＮＢ１１〜１３は、図７に示すように、ユーザ１〜６に時間の経過とともに周波数を割り当て、無線通信を行う。【００４２】
シェアードチャネル割り当て方式では、通信中のユーザであっても、ユーザに対する無線リソース割り当て（周波数軸／時間軸ともに）は、常に保証されるわけではない。また、ｅＮＢ１１〜１３は、ユーザに送信するユーザデータが存在しない場合には、そのユーザに対しての無線リソース割り当てを停止（ＤＲＸ）することができる。すなわち、ｅＮＢ１１〜１３は、アクティブ状態のユーザに対し、シェアードチャネルで緊急情報を送信できない場合がある。【００４３】
しかし、ユーザが通信中の場合には、ｅＮＢ１１〜１３とユーザとの間にＤＣＣＨ（Dedicated Control CHannel）の論理チャネルが起動されている。従って、ｅＮＢ１１〜１３は、シェアードチャネルで緊急情報を送信できない場合でも、ＤＣＣＨを用いて、緊急情報をユーザに送信することができる。【００４４】
なお、ｅＮＢ１１〜１３は、ユーザが通信中の場合、ユーザに割り当てている無線リソースの一部を緊急情報に割り当てる。これにより、通信中の無線リソースの割り当て幅は減少するが、通信が遮断されることはない。【００４５】
図８は、ｅＮＢのブロック図である。図８に示すようにｅＮＢ１１は、無線部３０と無線制御部４０を有している。図８に示す上位装置５０は、図２に示したＭＭＥ／Ｓ−ＧＷ１５，１６が対応する。ｅＮＢ１２，１３もｅＮＢ１１と同様のブロックを有し、その説明を省略する。【００４６】
無線部３０は、屋外受信増幅器３１、送信増幅器３２、無線送受信部３３、インタフェース部３４を有している。
屋外受信増幅器３１は、アンテナによって受信された受信信号を増幅し、無線送受信部３３に出力する。また、屋外受信増幅器３１は、送信増幅器３２によって増幅された送信信号をアンテナに出力する。【００４７】
送信増幅器３２は、無線送受信部３３から出力される送信信号を増幅し、屋外受信増幅器３１を介してアンテナに出力する。
無線送受信部３３は、インタフェース部３４から出力される信号の無線送信処理を行い、屋外受信増幅器３１から出力される無線信号の受信処理を行う。【００４８】
インタフェース部３４は、無線制御部４０と信号のやり取りを行うインタフェースである。
無線制御部４０は、インタフェース部４１、ベースバンド処理部４２、伝送路インタフェース部４３、および制御部４４を有している。【００４９】
インタフェース部４１は、無線部３０と信号のやり取りを行うインタフェースである。
ベースバンド処理部４２は、Ｌ（Layer）１／Ｌ２の信号生成および受信処理を行い、データの変復調や無線周波数制御などのベースバンド処理を行う。また、ベースバンド処理部４２は、上位装置５０から受信された緊急情報の物理チャネルへのマッピング処理を行う。【００５０】
伝送路インタフェース部４３は、上位装置５０とデータのやり取りを行うインタフェースである。
制御部４４は、呼処理、無線リソースの管理・割り当て処理、および無線通信に必要なパラメータの記憶処理などを行う。また、制御部４４は、上位装置５０から受信した緊急情報を複数の物理チャネルで送信するようにベースバンド処理部４２を制御する。また、制御部４４は、上位装置５０から受信した緊急情報の配信をＵＥ１４に行うか否かの判断を行う。例えば、緊急情報は、ユーザが地震や津波などに対処できる時間内に通知することに意味がある。従って、制御部４４は、緊急情報の通知が許容時間を超えた場合、緊急情報の通知は意味がないと判断し、緊急情報の配信処理を停止するようにする。【００５１】
図９は、ＵＥのブロック図である。図９に示すようにＵＥ１４は、無線部６０、ベースバンド部７０、制御部８１、記憶部８２、およびスピーカ／マイク８３を有している。
無線部６０は、ＤＵＰ（Duplexer）６１、ＲＸ（Receiver）６２、アナログフロントエンド部６３、ＴＸ（Transmitter）６４、ＰＡ（Power Amplifier）６５、および周波数シンセサイザ６６を有している。【００５２】
ＤＵＰ６１は、１本のアンテナで信号を送受信できるように無線信号を分波する。
ＲＸ６２は、ＤＵＰ６１から出力される受信信号を増幅し、アナログフロントエンド部６３に出力する。【００５３】
アナログフロントエンド部６３は、ＲＸ６２から出力されるアナログの受信信号をデジタルデータに変換する。また、アナログフロントエンド部６３は、Ｌ１モデム／コーデック部７１から出力されるデジタルデータをアナログの送信信号に変換する。【００５４】
ＴＸ６４は、アナログフロントエンド部６３から出力されるアナログの送信信号を無線信号に変換する。ＴＸ６４は、周波数シンセサイザ６６から出力される発振信号およびベースバンド／無線制御部７２の指示に応じて、送信信号を無線信号に変換する。【００５５】
ＰＡ６５は、ＴＸ６４から出力される無線信号を増幅し、ＤＵＰ６１に出力する。
周波数シンセサイザ６６は、送信信号を無線信号に変換するための発振信号をＴＸ６４に出力する。【００５６】
ベースバンド部７０は、Ｌ１モデム／コーデック部７１、ベースバンド／無線制御部７２、およびオーディオインタフェース部７３を有している。
Ｌ１モデム／コーデック部７１は、オーディオインタフェース部７３から出力されるユーザの音声信号やアナログフロントエンド部６３から出力される受信信号のＬ１レイヤ処理およびチャネルコーデック処理を行う。【００５７】
ベースバンド／無線制御部７２は、データの変復調などのベースバンド処理やＴＸ６４の無線周波数制御などの処理を行う。また、ベースバンド／無線制御部７２は、ＰＡ６５の電力の制御を行い、送信信号の歪などを抑制する。【００５８】
オーディオインタフェース部７３は、スピーカ／マイク８３と音声データのやり取りを行うインタフェースである。
制御部８１は、ＵＥ１４の全体を制御している。制御部８１は、複数の物理チャネルで配信される緊急情報のうち、最も早く受信した緊急情報に基づき、警告音などを発してユーザに緊急情報を受信したことを促す。そして、緊急情報の内容を表示画面に表示する。また、制御部８１は、受信した緊急情報が有効期間を超過していないか判断する。所定時間経過した緊急情報をユーザに通知しても意味がないからである。【００５９】
記憶部８２は、ＵＥ１４の全体を制御するアプリケーションを記憶したメモリである。記憶部８２には、緊急情報を受信した場合、ユーザにその旨を通知するアプリケーションも記憶されている。【００６０】
スピーカ／マイク８３は、オーディオインタフェース部７３から出力されるユーザの音声信号を音声に変換する。また、スピーカ／マイク８３は、ユーザの音声を電気信号に変換し、オーディオインタフェース部７３に出力する。【００６１】
図１０、図１１は、ｅＮＢの動作を示したフローチャートである。ｅＮＢ１１は、自局の起動しているトランスポートチャネルを認識している。例えば、ＰＣＨやＢＣＨなどの共通チャネルの種別およびその数を認識している。また、ｅＮＢ１１は、接続を確立しているＵＥの数や通信エリア内に在圏しているＵＥの数を認識している。以下では、ｅＮＢ１１の動作について説明するがｅＮＢ１２，１３についても同様の動作を行う。【００６２】
ステップＳ１において、ｅＮＢ１１は、ＭＭＥ／Ｓ−ＧＷ１５，１６から緊急情報を受信したか否か判断する。ｅＮＢ１１は、緊急情報を受信した場合、ステップＳ３へ進む。緊急情報を受信していない場合、ステップＳ２へ進む。【００６３】
ステップＳ２において、ｅＮＢ１１は、通常の運用を継続する。例えば、ｅＮＢ１１は、呼処理などを行ったりする。
ステップＳ３において、ｅＮＢ１１は、受信した緊急情報を、自局で起動しているトランスポートチャネル（ＴＰＣＨ）へマルチ配信する。例えば、ＢＣＨ、ＰＣＨ、ＭＣＨ、およびＤＬ−ＳＣＨのトランスポートチャネルを起動している場合、ｅＮＢ１１〜１３は、これらのトランスポートチャネルに緊急情報をマルチ配信する。【００６４】
ステップＳ４において、ｅＮＢ１１は、緊急情報のトランスポートチャネルへのマルチ配信が完了したか否か判断する。ｅＮＢ１１は、緊急情報のトランスポートチャネルへのマルチ配信が完了している場合、ステップＳ８へ進む。緊急情報のトランスポートチャネルへのマルチ配信が完了していない場合、ステップＳ５へ進む。【００６５】
ステップＳ５において、ｅＮＢ１１は、緊急情報のマルチ配信の時間が配信許容時間を超過したか否か判断する。ｅＮＢ１１は、配信許容時間を超過した場合、ステップＳ７へ進む。配信許容時間を超過していなければ、ステップＳ６へ進む。【００６６】
地震や津波情報などは、ユーザが避難等できるように、地震や津波の発生から所定時間内にユーザに配信するのが望ましい。そこで、ｅＮＢ１１は、緊急情報の配信許容時間の超過を判断する。具体的には、ｅＮＢ１１は、緊急情報に含まれている地震や津波などの発生時間と現在時刻とを比較し、地震や津波の発生からの経過時間を算出する。ｅＮＢ１１は、算出した経過時間と、予め決められた緊急情報を配信すべき配信許容時間とを比較し、緊急情報の配信許容時間の超過を判断する。【００６７】
ステップＳ６において、ｅＮＢ１１は、再配信するトランスポートチャネルへ緊急情報を配信する。
ステップＳ７において、ｅＮＢ１１は、緊急情報の即時性を考慮し、配信許容時間を超過した緊急情報のトランスポートチャネルへの配信を停止する。そして、ｅＮＢ１１は、緊急情報の配信処理を終了する。【００６８】
ステップＳ８において、ｅＮＢ１１は、トランスポートチャネルから緊急情報を物理チャネルへマッピングする。例えば、ｅＮＢ１１は、ＢＣＨに配信された緊急情報をＰＢＣＨの物理チャネルへマッピングし、ＰＣＨに配信された緊急情報をＰＭＣＨの物理チャネルへマッピングする。また、ｅＮＢ１１は、ＰＣＨとＤＬ−ＳＣＨに配信された緊急情報をＰＤＳＣＨの物理チャネルへマッピングする。【００６９】
ステップＳ９において、ｅＮＢ１１は、各物理チャネルの最速タイミングで緊急情報の配信を実施する。例えば、ＢＣＨは、ｔ秒ごとに情報配信を行うとする。ｅＮＢ１１は、次回のＢＣＨの送信タイミングに間に合えば、そのタイミングで緊急情報を送信するようにする。【００７０】
ステップＳ１０において、ｅＮＢ１１は、各物理チャネルで緊急情報の配信を開始する。例えば、ｅＮＢ１１は、ＰＢＣＨ、ＰＭＣＨ、およびＰＤＳＣＨで緊急情報の配信を開始する。なお、図１１の括弧内には、緊急情報を物理チャネルへマッピングしたトランスポートチャネルを示している。【００７１】
ステップＳ１１において、ｅＮＢ１１は、全物理チャネルでの緊急情報の配信が完了したか判断する。ｅＮＢ１１は、全物理チャネルでの緊急情報の配信が完了した場合、処理を終了する。全物理チャネルでの緊急情報の配信が完了していない場合、ステップＳ１２へ進む。【００７２】
ステップＳ１２において、ｅＮＢ１１は、緊急情報の配信時間が配信可能時間を超過したか否か判断する。ｅＮＢ１１は、配信可能時間を超過した場合、ステップＳ１４へ進む。配信可能時間を超過していなければ、ステップＳ１３へ進む。【００７３】
なお、ｅＮＢ１１が緊急情報の配信可能時間を判断するのは、ステップＳ５の説明と同様に、所定時間内に緊急情報をユーザに配信するのが望ましいからである。
ステップＳ１３において、ｅＮＢ１１は、再送信する物理チャネルでの緊急情報の配信を実施する。【００７４】
ステップＳ１４において、ｅＮＢ１１は、緊急情報の即時性を考慮し、配信可能時間を超過した物理チャネルでの緊急情報の配信を停止する。そして、ｅＮＢ１１は、緊急情報の配信処理を終了する。【００７５】
なお、図１０、図１１のフローチャートでは、ｅＮＢ１１は、受信した緊急情報を起動しているトランスポートチャネルにマルチ配信するとしたが、トランスポートチャネルに図６で説明したＥｍＣＨを具備する場合、受信した緊急情報をＥｍＣＨへ配信する。この場合、緊急情報は、ＥｍＣＨにより、ｅＮＢ１１で起動されているＰＢＣＨ、ＰＭＣＨ、およびＰＤＳＣＨの物理チャネルにマッピングされることになる。【００７６】
図１２は、ＵＥの動作を示したフローチャートである。ＵＥ１４は、自局の状態を認識している。例えば、ＵＥ１４は、Ｉｄｌｅ状態、コネクティッド状態、およびＭＢＭＳアクティブ状態などの状態を認識している。【００７７】
ステップＳ２１において、ＵＥ１４は、ｅＮＢ１１からＰＢＣＨ、ＰＭＣＨ、およびＰＤＳＣＨなどの物理チャネルを介してＲＲＣデータを受信する。図１２の括弧内には、ＲＲＣデータを物理チャネルへマッピングしたトランスポートチャネルを示している。【００７８】
ステップＳ２２において、ＵＥ１４は、緊急情報を受信したか否か判断する。ＵＥ１４は、緊急情報を受信した場合、ステップＳ２４へ進む。緊急情報を受信していない場合、ステップＳ２３へ進む。【００７９】
ステップＳ２３において、ＵＥ１４は、通常の呼処理を行う。
ステップＳ２４において、ＵＥ１４は、最も早く受信した物理チャネルの緊急情報を取得する。すなわち、ＵＥ１４は、最も早く受信した緊急情報に基づいてユーザに警告などを行うのが望ましいため、その後に受信した別の物理チャネルの緊急情報を破棄するようにする。【００８０】
ステップＳ２５において、ＵＥ１４は、取得した緊急情報が有効期間を超過したか否か判断する。ＵＥ１４は、取得した緊急情報が有効期間を超過した場合、ステップＳ２１に進む。取得した緊急情報が有効期間を超過していない場合、ステップＳ２６に進む。【００８１】
なお、ＵＥ１４が緊急情報の有効期間を判断するのは、図１０のステップＳ５の説明と同様に、所定時間内に緊急情報をユーザに通知するのが好ましいからである。ＵＥ１４の行う有効期間の判断は、図１０のステップＳ５の説明と同様である。【００８２】
ステップＳ２６において、ＵＥ１４は、受信した緊急情報をユーザに警告などを行うアプリケーション（ＡＰＬ）に通知する。
ステップＳ２７において、ＵＥ１４（ＵＥ１４のＡＰＬ）は、例えば、ＬＥＤ（Light Emitting Diode）を点滅させたり、警告音を鳴らしたりするなどして、緊急情報を受信したことをユーザに伝える。そして、ＵＥ１４は、緊急情報の内容を表示画面に表示する。【００８３】
このように、ｅＮＢ１１〜１３は、自局で起動している複数の物理チャネルに緊急情報をマッピングし、緊急情報をＵＥ１４に配信する。これにより、ＵＥ１４は、待ち受け状態や通信中の状態に関わらず、緊急情報を即時に受信することができる。【００８４】
また、ｅＮＢ１１〜１３は、緊急情報をＵＥ１４に配信すべき時間を超過した場合、緊急情報の配信を停止する。これにより、ｅＮＢ１１〜１３は、ユーザが地震や津波などの災害に対応することができる意味のある緊急情報のみをユーザに配信することができる。【００８５】
また、ｅＮＢ１１〜１３は、既存の物理チャネルを用いて緊急情報を配信するので、ＵＥ１４との間に緊急情報専用の物理チャネルを設けることなく、即時に緊急情報を通知できる。また、開発コストを低減することができる。【００８６】
また、ＰＢＣＨおよびＰＭＣＨの一方のみで緊急情報を配信する場合、ＰＢＣＨおよびＰＭＣＨの一方の配信周期でしか緊急情報をＵＥ１４に通知することができない。しかし、ＰＢＣＨとＰＭＣＨの複数のチャネルを用いて緊急情報を配信することにより、ＰＢＣＨおよびＰＭＣＨのそれぞれの配信周期より早く緊急情報をＵＥ１４に通知することができる。【００８７】
また、ＵＥ１４は、最も早く受信した緊急情報に基づいて、ユーザに緊急情報の通知を行う。これにより、ユーザは、地震や津波に対処する時間が増える。
また、ＵＥ１４は、緊急情報を受信すべき時間を超過した場合、緊急情報を破棄する。これにより、ＵＥ１４は、ユーザが地震や津波などの災害に対応することができる意味のある緊急情報のみ通知することができる。【００８８】
なお、上記では、ｅＮＢ１１〜１３は、図４に示した緊急情報を受信すると、起動されている複数のトランスポートチャネルに割り当てて、複数の物理チャネルへマッピングするとした。または、ｅＮＢ１１〜１３は、トランスポートチャネルにＥｍＣＨを有する場合、受信した緊急情報をＥｍＣＨに配信し、ＥｍＣＨによって、起動されている複数の物理チャネルへマルチ配信するとした。しかし、ｅＮＢ１１〜１３は、受信した緊急情報を、起動されている複数の論理チャネルにマルチ配信して、複数の物理チャネルへマッピングするようにしてもよい。【００８９】
例えば、ｅＮＢ１１〜１３は、ＰＣＣＨ（Paging Control CHannel）、ＢＣＣＨ、ＤＴＣＨ（Dedicated Traffic CHannel）、およびＭＴＣＨ（Multicast Traffic CHannel）の論理チャネルが起動されているとする。この場合、ｅＮＢ１１〜１３は、受信した緊急情報をＰＣＣＨ、ＢＣＣＨ、ＤＴＣＨ、およびＭＴＣＨに配信する。ＰＣＣＨに配信された緊急情報は、ＰＣＨのトランスポートチャネルに配信される。ＢＣＣＨに配信された緊急情報は、ＢＣＨのトランスポートチャネルに配信される。ＤＴＣＨに配信された緊急情報は、ＤＬ−ＳＣＬのトランスポートチャネルに配信される。ＭＴＣＨに配信された緊急情報は、ＭＣＨのトランスポートチャネルに配信される。【００９０】
これにより、緊急情報は、ＰＢＣＨ、ＰＭＣＨ、およびＰＤＳＣＨの物理チャネルでＵＥ１４に配信されることになり、ＵＥ１４は、待ち受け状態や通信中の状態に関わらず、緊急情報を即時に受信することができる。【００９１】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００９２】
１  無線基地局
１ａ  特定情報受信手段
１ｂ  特定情報配信手段
２  上位装置
３  無線端末
【図１】
2010058466.tif 000003
【図２】
2010058466.tif 000004
【図３】
2010058466.tif 000005
【図４】
2010058466.tif 000006
【図５】
2010058466.tif 000007
【図６】
2010058466.tif 000008
【図７】
2010058466.tif 000009
【図８】
2010058466.tif 000010
【図９】
2010058466.tif 000011
【図１０】
2010058466.tif 000012
【図１１】
2010058466.tif 000013
【図１２】
2010058466.tif 000014
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
無線端末と無線通信を行う無線基地局において、
上位装置から前記無線端末に配信する特定情報を受信する特定情報受信手段と、
前記特定情報受信手段によって受信された前記特定情報を当該無線基地局において起動されている複数の物理チャネルで前記無線端末に配信する特定情報配信手段と、
を有することを特徴とする無線基地局。
【請求項２】
トランスポートチャネルに前記特定情報受信手段によって受信された前記特定情報を前記複数の物理チャネルにマッピングする特定情報配信チャネルを有することを特徴とする請求項１記載の無線基地局。
【請求項３】
前記特定情報配信手段は、前記特定情報受信手段によって受信された前記特定情報を当該無線基地局において起動されている複数のトランスポートチャネルにマッピングし前記複数の物理チャネルで配信することを特徴とする請求項１記載の無線基地局。
【請求項４】
前記特定情報配信手段は、前記特定情報受信手段によって受信された前記特定情報を当該無線基地局において起動されている複数の論理チャネルにマッピングし前記複数の物理チャネルで配信することを特徴とする請求項１記載の無線基地局。
【請求項５】
前記複数の物理チャネルには、複数の前記無線端末に情報を報知する共通チャネルと、空いている無線リソースを前記無線端末に割り当て情報を送信するシェアードチャネルとが含まれることを特徴とする請求項１記載の無線基地局。
【請求項６】
前記共通チャネルは、複数であることを特徴とする請求項５記載の無線基地局。
【請求項７】
前記特定情報配信手段は、前記シェアードチャネルにおいて前記無線端末に前記無線リソースを割り当てることができない場合、制御チャネルを用いて前記特定情報を配信することを特徴とする請求項５記載の無線基地局。
【請求項８】
前記特定情報が前記無線端末に配信すべき時間を超過した場合、前記特定情報の配信を停止する配信停止手段を有することを特徴とする請求項１記載の無線基地局。
【請求項９】
無線基地局と無線通信を行う無線端末において、
前記無線基地局が複数の物理チャネルを用いて配信する特定情報を受信する特定情報受信手段と、
前記特定情報受信手段によって受信された前記特定情報のうち、最も早く受信した前記特定情報をユーザに通知する特定情報通知手段と、
を有することを特徴とする無線端末。
【請求項１０】
無線端末と無線通信を行う無線基地局の特定情報配信方法において、
上位装置から前記無線端末に配信する特定情報を受信し、
前記特定情報を前記無線基地局において起動されている複数の物理チャネルで前記無線端末に配信する、
ことを特徴とする特定情報配信方法。
【手続補正３】
【補正対象書類名】明細書
【補正対象項目名】０００１
【補正方法】変更
【補正の内容】
【０００１】
本発明は、特定情報を無線端末に配信する無線基地局、無線端末、および特定情報配信方法に関する。
【手続補正４】
【補正対象書類名】明細書
【補正対象項目名】０００５
【補正方法】変更
【補正の内容】
【０００５】
しかし、従来の移動通信システムでは、無線端末の待ち受け状態や通信状態などの状態によって緊急情報を即時に通知することができないという問題点があった。
本件はこのような点に鑑みてなされたものであり、無線端末の状態に関わらず特定情報を即時に通知することができる無線基地局、無線端末、および特定情報配信方法を提供することを目的とする。
【国際調査報告】
2010058466.tif 000015
2010058466.tif 000016
2010058466.tif 000017
2010058466.tif 000018